(57)【要約】  基地局装置（２）は、第１セルに接続する移動局装置（３）を、多点協調送信の対象の移動局装置と多点協調送信の対象でない移動局装置とに分類する分類部（２０）と、第１セルに接続する多点協調送信の対象の移動局装置に無線リソースを割り当てる第１割当部（２１）と、第１セルと異なる第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部（２１）を備える。
2014049727.tif 000002
【特許請求の範囲】
【請求項１】
第１セルに接続する移動局装置を、多点協調送信の対象の移動局装置と多点協調送信の対象でない移動局装置とに分類する分類部と、
第１セルに接続する多点協調送信の対象の移動局装置に無線リソースを割り当てる第１割当部と、
第１セルと異なる第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部と、
を備えることを特徴とする基地局装置。
【請求項２】
第１セルに接続する多点協調送信の対象の移動局装置が多点協調送信時に被る干渉を予測する予測部を備え、
前記第１割当部は、前記予測部による予測結果に応じて、第１セルに接続する多点協調送信の対象の移動局装置の無線リソースの割り当てを実施することを特徴とする基地局装置。
【請求項３】
第１セルと第２セルとにそれぞれ異なる周波数リソースが割り当てられ、
前記第１割当部は、第１セルに割り当てられた周波数リソースの中から第１セルに接続する多点協調送信の対象の移動局装置に割り当てる周波数リソースを選択し、第２セルに割り当てられた周波数リソースの中から第１セルに接続する多点協調送信の対象の移動局装置に割り当てる周波数リソースを選択しないことを特徴とする請求項１又は２に記載の基地局装置。
【請求項４】
前記第２割当部は、所定周期で繰り返されるサイクルのうちの第１サイクルにおいて第２セルに接続する多点協調送信の対象の移動局装置に割り当てられた無線リソースに基づいて、第１サイクルの後の第２サイクルにおいて第１セルに接続する多点協調送信の対象でない移動局装置に割り当てる無線リソースを決定することを特徴とする請求項１〜３のいずれか一項に記載の基地局装置。
【請求項５】
多点協調送信の対象の移動局装置に無線リソースを割り当てる第２サイクルが、前記第２割当部が無線リソースを決定する前記サイクルと異なることを特徴とする請求項４に記載の基地局装置。
【請求項６】
前記第２割当部は、１つの第２サイクルで割り当てられた無線リソースに基づいて、異なる複数のサイクルにおいて無線リソースを決定することを特徴とする請求項５に記載の基地局装置。
【請求項７】
前記分類部は、第１セルに接続する移動局装置と前記基地局装置との間の距離に応じて、第１セルに接続する移動局装置を多点協調送信の対象の移動局装置と多点協調送信の対象でない移動局装置とに分類することを特徴とする請求項１〜６のいずれか一項に記載の基地局装置。
【請求項８】
前記分類部は、第１セルに接続する移動局装置と前記基地局装置との間のパスロスに応じて、第１セルに接続する移動局装置を多点協調送信の対象の移動局装置と多点協調送信の対象でない移動局装置とに分類することを特徴とする請求項１〜６のいずれか一項に記載の基地局装置。
【請求項９】
前記分類部は、第１セルに接続する移動局装置における受信品質に応じて、第１セルに接続する移動局装置を多点協調送信の対象の移動局装置と多点協調送信の対象でない移動局装置とに分類することを特徴とする請求項１〜６のいずれか一項に記載の基地局装置。
【請求項１０】
第２セルに接続する多点協調送信の対象の移動局装置へ送信されるデータを受信し、
第２セルに接続する多点協調送信の対象の移動局装置に割り当てられた無線リソースで前記データを送信することを特徴とする請求項１〜９のいずれか一項に記載の基地局装置。
【請求項１１】
第１セルに接続する多点協調送信の対象の移動局装置に割り当てた無線リソースを指定するリソース情報を、前記第２セルを形成する他の基地局装置に送信するリソース情報送信部と、
第２セルに接続する多点協調送信の対象の移動局装置に割り当てた無線リソースを指定するリソース情報を、前記他の基地局装置から受信するリソース情報受信部と、
を備えることを特徴とする請求項１〜１０のいずれか一項に記載の基地局装置。
【請求項１２】
前記リソース情報送信部は、第１セルに隣接するセルを形成する複数の基地局装置のうち、第１セルに接続する多点協調送信の対象の移動局装置に与える干渉の程度に応じて、第１セルに接続する多点協調送信の対象の移動局装置に割り当てられた無線リソースのリソース情報を送信する基地局装置を選択することを特徴とする請求項１１に記載の基地局装置。
【請求項１３】
第１セルを形成する無線信号を送信する第１の張り出し無線装置と、第２セルを形成する無線信号を送信する第２の張り出し無線装置とを備えることを特徴とする請求項１〜１０のいずれか一項に記載の基地局装置。
【請求項１４】
基地局装置と移動局装置とを備える通信システムであって、
前記基地局装置は、
第１セルに接続する移動局装置を、多点協調送信の対象の移動局装置と多点協調送信の対象でない移動局装置とに分類する分類部と、
第１セルに接続する多点協調送信の対象の移動局装置に無線リソースを割り当てる第１割当部と、
第１セルと異なる第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部と、
を備えることを特徴とする通信システム。
【請求項１５】
第１セルに接続する移動局装置と第２セルに接続する移動局装置とを、多点協調送信の対象の移動局装置と多点協調送信の対象でない移動局装置とに分類し、
第１セルに接続する多点協調送信の対象の移動局装置と第２セルに接続する多点協調送信の対象の移動局装置とに各々無線リソースを割り当て、
第２セルに接続する多点協調送信の対象の移動局装置に割り当てられた無線リソースとの干渉を低減するように、第１セルに接続する多点協調送信の対象でない移動局装置に割り当てる無線リソースを決定する、ことを特徴とする通信方法。
【発明の詳細な説明】
【技術分野】
【０００１】
本明細書で論じられる実施態様は、基地局装置、通信システム及び通信方法に関する。
【背景技術】
【０００２】
基地局装置と移動局装置と間で通信を行う移動無線システムにおいてスループットを均質化する手法の一つとして、多地点協調送信(CoMP:Coordinated Multi-Point transmission)が知られている。CoMPによれば、隣接する複数のセルから同じ移動局装置へ同一周波数帯域で同一の信号を送信することができる。あるいは、隣接する複数のセルの各々が、他のセルから移動局装置へ信号を送信する周波数リソースにおける出力を停止することにより、移動局装置への干渉を回避することができる。このように、CoMPは、複数のセルが協調することで、特定の移動局装置におけるSINR(Signal to Interference plus Noise Ratio)を増大させスループット向上を図る。セルを協調させる代わりにセクタを協調させることも可能である。
【先行技術文献】
【非特許文献】
【０００３】
【非特許文献１】Jing LIU他, “A Novel Transmission Scheme and Scheduling Algorithm for CoMP-MIMO in LTE-A System”, Beijing University of Posts and Telecommunications Beijing P.R. China, 100876
【発明の概要】
【発明が解決しようとする課題】
【０００４】
CoMPでは、協調させる複数のセルをグループ化し、各グループに属するセルに接続する移動局装置の無線リソースを、１つの基地局装置又はコントローラで集中的にスケジューリングする。協調させる複数のセルのグループは「クラスタ」と呼ばれる。クラスタに属するセルを形成する基地局装置は、接続中の移動局装置の情報を、バックホールネットワークを経由してスケジューリングを実行する装置へ送信する。スケジューリングを実行する装置は、クラスタ内に位置する移動局装置の情報を集約する。【０００５】
１つのクラスタに属するセルの数が多ければ多いほど、協調し合うセルの範囲が広がって選択枝が増えるためスループットの向上が期待される。しかし、各クラスタに属するセルの数が増加するほど、スケジューリングを実行する装置へ移動局装置の情報を送信する基地局装置の範囲が増大する。また、各クラスタに属するセルの数が増加するほどクラスタ内に位置する移動局装置の数も増えるため、ネットワークを流れる情報量も増加する。このため、１つのクラスタに属するセルの数が増加すると、移動局装置の情報の通知のためのバックホールネットワークの負荷が増加する。【０００６】
また、CoMPを伴わないスケジューリングは、各セル毎に、それぞれのセルに接続する移動局装置間の公平性や伝搬路状態等を考慮すれば足りる。一方で、CoMPを伴うスケジューリングは、クラスタ全体の移動局装置間の公平性や伝搬路状態等を考慮し、またCoMPによる干渉量低減の可能性を考慮するため、スケジューリングアルゴリズムが煩雑になる恐れがある。【０００７】
本明細書に開示される装置又は方法は、CoMPを伴うスケジューリング処理のための負荷を軽減することを目的とする。
【課題を解決するための手段】
【０００８】
装置の一観点によれば、基地局装置が与えられる。基地局装置は、第１セルに接続する移動局装置を、多点協調送信の対象の移動局装置と多点協調送信の対象でない移動局装置とに分類する分類部と、第１セルに接続する多点協調送信の対象の移動局装置に無線リソースを割り当てる第１割当部と、第１セルと異なる第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部を備える。
【発明の効果】
【０００９】
本明細書に開示される装置又は方法によれば、CoMPを伴うスケジューリング処理のための負荷を軽減することができる。【００１０】
本発明の目的及び利点は、特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１１】
【図１】通信システムの実施例の説明図である。
【図２】他のクラスタの構成例の説明図である。
【図３】図１の通信システムの変形例の説明図である。
【図４】スケジューリング動作の第一例の説明図である。
【図５】移動局装置の分類の説明図である。
【図６】基地局装置の第１例の機能構成図である。
【図７】図６の基地局装置の変形例の機能構成図である。
【図８】移動局装置の第１例の機能構成図である。
【図９】基地局装置の動作の第１例の説明図である。
【図１０】通信システムの処理シーケンスの第１例を示す図である。
【図１１】基地局装置の変形例の機能構成図である。
【図１２】移動局装置の変形例の機能構成図である。
【図１３】基地局装置の第２例の機能構成図である。
【図１４】伝送遅延が小さい場合の通信システムの処理シーケンスの一例を示す図である。
【図１５】伝送遅延が大きい場合の通信システムの処理シーケンスの一例を示す図である。
【図１６】通信システムの処理シーケンスの第２例を示す図である。
【図１７】基地局装置の動作の第２例の説明図である。
【図１８】（Ａ）及び（Ｂ）は基地局装置のハードウエア構成の一例の説明図である。
【図１９】移動局装置のハードウエア構成の一例の説明図である。
【発明を実施するための形態】
【００１２】
＜１．第１実施例＞
＜１．１．通信システムの構成＞
以下、添付される図面を参照して、好ましい実施例について説明する。図１は、通信システムの構成例の説明図である。通信システム１は、基地局装置２ａ〜２ｃと移動局装置３ａ〜３ｄを備える。以下の説明及び図面において、基地局装置及び移動局装置をそれぞれ「基地局」及び「移動局」と表記することがある。また、基地局２ａ〜２ｃを総称して「基地局２」と表記することがあり、移動局３ａ〜３ｄを「移動局３」と表記することがある。図１において４つの移動局３ａ〜３ｄが図示されているが、本明細書は移動局数を限定することを意図するものではない。また、以下の説明では３つの基地局２ａ〜２ｃの動作の例示を使用するが、この例示も基地局数を限定することを意図するものではない。
【００１３】
基地局２は、移動局３と無線接続して無線通信を行う無線通信装置である。また、基地局２は、１又は複数のセル範囲内において移動局３に対して音声通信や映像配信など種々のサービスを提供できる。基地局２は、他の基地局と光伝送等を用いた有線接続５により接続されており、他の基地局２との間で各種情報を送受信することが可能である。
【００１４】
参照符号４ａ〜４ｃは、それぞれ基地局２ａ〜３ｃにより形成されるセルを示す。本明細書における以下の説明は、セル４ａ〜４ｃにより１つのクラスタが形成され、セル４ａ〜４ｃが協調してCoMPを実施する場合を想定する。以下の説明及び図面において、セル４ａ〜４ｃを総称して「セル４」と表記することがある。
【００１５】
他の実施例では、１つのセルを複数のセクタに分割し、セクタをグループ化してクラスタを形成してもよい。図２は、他のクラスタの構成例の説明図である。セル４ａはセクタ６ａ１〜６ａ３に分割され、セル４ｂはセクタ６ｂ１〜６ｂ３に分割され、セル４ｃはセクタ６ｃ１〜６ｃ３に分割される。セクタ６ａ１、６ｂ２及び６ｃ３をグループ化することによりクラスタが形成される。
【００１６】
他の実施例では、「RRH(Remote Radio Head)」と呼ばれる張り出し無線装置により形成されたセルをグループ化してクラスタを形成しても良い。図３は、図１の通信システムの変形例の説明図である。RRH８ａ〜８ｇは、無線基地局装置のアンテナと無線部を独立させた無線通信装置であり、それぞれセル９ａ〜９ｇを形成する。RRH８ａ〜８ｇは、光伝送などの高速なインタフェースを経由して、ベースバンド信号処理やスケジューリング処理を担う集中型基地局７に接続される。
【００１７】
以下、図１に示す構成を使用して本明細書に開示される通信システムを説明するが、基地局２間の信号のやり取りを集中型基地局７内部の信号のやり取りに置き換えることで図３の通信システムの構成にも適用可能である。
【００１８】
＜１．２．動作説明＞
続いて、通信システム１におけるスケジューリング動作を説明する。図４は、スケジューリング動作の第一例の説明図である。図４の動作は、例えば、基地局２によるスケジューリング周期のような所定の実行間隔で周期的に実行される。
【００１９】
オペレーションＡＡにおいて基地局２ａ〜２ｃは、各々に接続する移動局３を第１移動局と第２移動局とに分類分けする。第１移動局はCoMP通信を行う移動局であり、第２移動局はCoMP通信を行わない移動局である。
【００２０】
例えば、基地局２は、図５に示すようにそれぞれの基地局２が形成するセル４の領域を、何らかの基準によってCoMP通信が行われるCoMPエリアとCoMP通信が行われない非CoMPエリアに分けてよい。基地局２ａは、CoMPエリア内に位置する移動局３ａ１及び非CoMPエリア内に位置する移動局３ａ２を、それぞれ第１移動局及び第２移動局に分類分けする。
【００２１】
同様に基地局２ｂは、CoMPエリア内に位置する移動局３ｂ１及び非CoMPエリア内に位置する移動局３ｂ２を、それぞれ第１移動局及び第２移動局に分類分けする。基地局２ｃは、CoMPエリア内に位置する移動局３ｃ１及び非CoMPエリア内に位置する移動局３ｃ２を、それぞれ第１移動局及び第２移動局に分類分けする。
【００２２】
図４を参照する。オペレーションＡＢにおいて基地局２は、それぞれに接続する第１移動局に分類された移動局３に割り当てる無線リソースを、第２移動局に分類された移動局３よりも先にスケジューリングする。
【００２３】
オペレーションＡＣにおいて基地局２は、それぞれに接続する第２移動局に分類された移動局３に割り当てる無線リソースをスケジューリングする。その際に基地局２は、あるセル内の第１移動局に割り当てた無線リソースに対する、他のセル内の第２移動局に割り当てる無線リソースによる干渉を低減するように、第２移動局に割り当てる無線リソースをスケジューリングする。例えば、各セルでは、他のセルで第１移動局に割り当てられた周波数帯域における送信を停止し又はこの帯域の電波を出力するビーム方向を調整する。その後、基地局２は、次の実行契機が到来するまで待機または休止する。
【００２４】
第２移動局が位置するセルと第１移動局が位置するセルとが異なる基地局により形成される場合には、第１基地局に割り当てた無線リソースのリソース情報を、第１移動局が位置するセルの基地局２から第２移動局が位置するセルの基地局２へ送信してもよい。
【００２５】
＜１．３．効果＞
本実施例では、CoMPを伴うスケジューリング処理が、個々のクラスタに属する複数のセル毎に実施される。このため、クラスタ全体の移動局装置に対するスケジューリングを集中して実施する場合と比べて、スケジューリングアルゴリズムを簡素化することができる。この結果、CoMPを伴うスケジューリング処理のための負荷が軽減される。
【００２６】
また、スケジューリング処理が、各セルを形成する複数の基地局の間に分散されるため、クラスタ内のスケジューリング処理を集中して行うための高い処理能力が不要になる。また、クラスタ内に位置する移動局装置に対するスケジューリングを集中的に実行する装置に移動局装置の情報を集約する処理が不要になるため、ネットワーク負荷が軽減される。例えば、基地局２は、第１基地局に割り当てた無線リソースのリソース情報のみを交換すればよいため、スケジューリング処理のためのネットワーク負荷が軽減される。
【００２７】
＜２．第２実施例＞
＜２．１．機能構成＞
続いて、通信システム１の他の実施例について説明する。図６は、通信システム１において使用される基地局２の第１例の機能構成図である。基地局２は、無線通信部１０と、受信処理部１１と、データ処理部１２と、送信処理部１３と、スケジューラ１４と、品質情報受信部１５を備える。
【００２８】
無線通信部１０は、アンテナで受信された無線帯域の無線信号を受信し、ベースバンド帯域の受信信号に変換する。受信処理部１１は、受信信号の復調及び復号処理を行う。移動局３からの受信信号は、ユーザデータや品質情報を含んでいてよい。品質情報は、移動局３における基地局２からの送信信号の受信品質を示す情報である。品質情報は、例えば、例えばRSRP（Reference Signal Received Power）、RSRQ（Reference Signal Received Quality）、CQI（Channel Quality Indication）などであってよい。
【００２９】
品質情報は、例えば、3GPP(3rd Generation Partnership Project)が規格する端末装置が送信するMeasurementReportであってよい。MeasurementReportは、移動局３が接続するセルで送信される信号の受信強度と、周辺セルで送信される信号の受信強度と、それぞれのセルの識別子を含んでいてよい。受信処理部１１は、ユーザデータをデータ処理部１２に出力し、品質情報を品質情報受信部１５に出力する。
【００３０】
データ処理部１２は、コアネットワークに接続された上位装置にユーザデータを送信する。データ処理部１２は、上位装置からユーザデータを受信する。データ処理部１２は、移動局３に割り当てられた上りリンクの無線リソースの割当情報をスケジューラ１４から受信する。データ処理部１２は、上りリンクの割当情報などを含んだ下りリンク制御情報及びユーザデータを、下りリンク信号として送信処理部１３へ出力する。
【００３１】
送信処理部１３は、移動局３に割り当てられた下りリンクの無線リソースの割当情報をスケジューラ１４から受信する。送信処理部１３は、データ処理部１２から受信した下りリンク信号を符号化及び変調する。送信処理部１３は、割当情報が指定する周波数帯域に変調後の下りリンク信号がマッピングされたベースバンド信号を生成し、割当情報が指定する送信時期にベースバンド信号を無線通信部１０へ出力する。無線通信部１０は、ベースバンド信号を無線帯域の信号に変換した後、アンテナを介して送信する。
【００３２】
品質情報受信部１５は、受信処理部１１から入力した品質情報をスケジューラ１４に入力する。スケジューラ１４は、品質情報に基づいて、移動局３との間の下りリンク通信及び上りリンク通信に割り当てる無線リソースを決定する。スケジューラ１４は、上りリンクの無線リソースの割当情報をデータ処理部１２へ出力し、下りリンクの無線リソースの割当情報を送信処理部１３へ出力する。
【００３３】
スケジューラ１４は、分類部２０と、割当部２１と、リソース情報送信部２２と、リソース情報受信部２３を備える。分類部２０は、品質情報に基づいて、この品質情報を送信した移動局３をCoMP移動局と非CoMP移動局とのいずれかに分類する。CoMP移動局とは、基地局２との間でCoMP通信を行う移動局であり上述の第１移動局に相当する。非CoMP移動局とは、基地局２との間でCoMP通信を行わない移動局であり上述の第２移動局に相当する。
【００３４】
分類部２０は、例えば、判定閾値よりも低い品質情報を送信した移動局３をCoMP移動局に分類し、判定閾値以上の品質情報を送信した移動局３を非CoMP移動局に分類してもよい。また例えば、分類部２０は、他のセルからの受信電力強度が判定閾値より大きい移動局３をCoMP移動局に分類し、他のセルからの受信電力強度が判定閾値以下の移動局３を非CoMP移動局に分類してもよい。
【００３５】
割当部２１は、CoMP移動局に対するスケジューリングを行う。すなわちCoMP移動局へ無線リソースを割り当てる。割当部２１は、CoMP移動局に割り当てた無線リソースを指定するリソース情報をリソース情報送信部２２へ出力する。例えばリソース情報は、CoMP移動局に割り当てられた周波数リソースを指定する情報であってよい。なお、割当部２１は、上述の第１割当部及び第２割当部の一例である。
【００３６】
リソース情報送信部２２は、割当部２１から受信したリソース情報を、基地局間の有線接続５を経由して同じクラスタに属する他の基地局２へ送信する。例えば、基地局２ａのリソース情報送信部２２は、基地局２ｂ及び２ｃへリソース情報を通知し、基地局２ｂのリソース情報送信部２２は、基地局２ａ及び２ｃへリソース情報を通知する。また、基地局２ｃのリソース情報送信部２２は、基地局２ａ及び２ｂへリソース情報を通知する。
【００３７】
リソース情報受信部２３は、他の基地局２から送信されたリソース情報を受信する。割当部２１は、CoMP移動局に対するスケジューリングの後に非CoMP移動局に対するスケジューリングを行う。割当部２１は、他の基地局２から送信されたリソース情報の受信が予定される受信予定時期よりも後に非CoMP移動局に関してスケジューリングしてよい。
【００３８】
割当部２１は、あるセルでCoMP移動局に割り当てられた無線リソースに対する干渉を低減するように、他のセルで非CoMP移動局に割り当てる無線リソースをスケジューリングする。例えば、割当部２１は、他の基地局２がCoMP移動局に割り当てる無線リソースに対する干渉を低減するように、非CoMP移動局に割り当てる無線リソースをスケジューリングする。
【００３９】
例えば、割当部２１は、あるセルでCoMP移動局に割り当てられた無線リソースと同じ無線リソースを他のセルの非CoMP移動局に割り当てない。例えば、割当部２１は、他の基地局２がCoMP移動局に割り当てる無線リソースと同じ無線リソースを非CoMP移動局に割り当てない。こうすることで、複数の基地局２がCoMP移動局に同じ無線リソースを割り当てていない限り、ある基地局２がCoMP移動局へ送信する時期と同じ時期に、同じ周波数帯域で他の基地局２が信号を出力することが停止される。このため、CoMP移動局に対する干渉が低減される。
【００４０】
他の実施例では、スケジューラ１４は、他の基地局２がCoMP移動局に割り当てた周波数帯域の信号の出力が、当該他の基地局２の方向で低下するように、送信電波のビーム方向を調整してもよい。
【００４１】
図７は、図３の構成における集中型基地局７とRRH８ａ〜８ｇの機能構成の一例を示す。集中型基地局７の機能は、セル４ａ〜４ｇ毎の処理をそれぞれ行う個別セル処理部３０ａ〜３０ｇに分割してよい。個別セル処理部３０ａ〜３０ｇのそれぞれは、図６に示す基地局２の受信処理部１１と、データ処理部１２と、送信処理部１３と、スケジューラ１４と、品質情報受信部１５と同じ機能構成要素を備えてよい。また、図６に示す基地局２の無線通信部１０は、RRH８ａ〜８ｇ側に設けられる。
【００４２】
図８は、移動局３の第１例の機能構成図である。移動局３は、無線通信部３０と、受信処理部３１と、データ処理部３２と、受信品質測定部３３、送信処理部３４を備える。無線通信部３０は、アンテナで受信された無線帯域の無線信号を受信し、ベースバンド帯域の受信信号に変換する。
【００４３】
受信処理部３１は、受信信号の復調及び復号処理を行う。基地局２からの受信信号は、ユーザデータや下りリンク制御信号を含んでいてよい。受信処理部３１は、ユーザデータをデータ処理部３２へ出力し、下りリンク制御信号を送信処理部３４へ出力する。
【００４４】
データ処理部３２は、受信処理部３１から受信したユーザデータに対してアプリケーションレイヤなどの上位レイヤの処理を行う。また、データ処理部３２は、上位レイヤの処理によって生じた上りリンクのユーザデータを、送信処理部３４へ出力する。
【００４５】
受信品質測定部３３は、移動局３における基地局２からの送信信号を移動局３で受信した際の受信品質を測定する。受信品質測定部３３は、測定結果を示す品質情報を生成し送信処理部３４へ出力する。上述の通り、品質情報は、例えば、RSRPや、RSRQ、CQI、MeasurementReportなどであってよい。
【００４６】
送信処理部３４は、移動局３に割り当てられた上りリンクの無線リソースの割当情報を、下りリンク制御信号から取得する。送信処理部３４は、上りリンク信号としてデータ処理部３２及び受信品質測定部３３からそれぞれ受信したユーザデータと品質情報を、符号化及び変調する。送信処理部３４は、割当情報が指定する無線リソースの周波数帯域に変調後の上りリンク信号がマッピングされたベースバンド信号を生成し、割当情報が指定する送信時期にベースバンド信号を無線通信部１０へ出力する。無線通信部３０は、ベースバンド信号を無線帯域の信号に変換した後、アンテナを介して送信する。
【００４７】
＜２．２．動作＞
図９は、基地局２の動作の第１例の説明図である。図９の動作は、例えば、スケジューラ１４によるスケジューリング周期のような所定の実行間隔で周期的に実行される。オペレーションＢＡにおいて分類部２０は、基地局２に接続中の各移動局３から受信した品質情報に基づいて、移動局３の中からCoMP移動局を選択する。選択されない移動局３は非CoMP移動局として指定される。
【００４８】
オペレーションＢＢにおいて割当部２１は、CoMP移動局へ無線リソースを割り当てる。オペレーションＢＣにおいてリソース情報送信部２２は、CoMP移動局に割り当てた無線リソースを示すリソース情報を他の基地局２へ送信する。また、リソース情報受信部２３は、他の基地局２から送信されたリソース情報を受信する。
【００４９】
オペレーションＢＤにおいて割当部２１は、他の基地局２からのリソース情報が受信されたか否かを判断する。リソース情報が受信された場合（オペレーションＢＤ：Ｙ）に動作はオペレーションＢＥへ進む。リソース情報が受信された場合（オペレーションＢＤ：Ｎ）に動作はオペレーションＢＦへ進む。
【００５０】
オペレーションＢＥにおいて割当部２１は、無線リソースを非CoMP移動局へ割り当てる。このとき割当部２１は、他の基地局２から受信したリソース情報により指定される無線リソース以外のリソースを非CoMP移動局へ割り当てる。その後、基地局２は、次の実行契機が到来するまで待機または休止する。
【００５１】
オペレーションＢＦにおいて割当部２１は、オペレーションＢＣで割り当てたリソース以外のリソースである空きリソースのいずれかを非CoMP移動局へ割り当てる。その後、基地局２は、次の実行契機が到来するまで待機または休止する。
【００５２】
図１０は、通信システムの処理シーケンスの第１例を示す図である。図１０の処理シーケンスは、例えば、基地局２によるスケジューリング周期のような所定の実行間隔で周期的に実行される。オペレーションＣＡにおいて基地局２ａ〜２ｃは、それぞれに接続している移動局３をCoMP移動局と非CoMP移動局に分類する。オペレーションＣＡは分類部２０の処理に相当する。
【００５３】
オペレーションＣＢにおいて基地局２ａ〜２ｃは、それぞれに接続しているCoMP移動局に関してスケジューリングする。オペレーションＣＢは、割当部２１の処理に相当する。オペレーションＣＣにおいて基地局２ａ〜２ｃは、それぞれがCoMP移動局に割り当てた無線リソースのリソース情報を交換する。オペレーションＣＣは、リソース情報送信部２２とリソース情報受信部２３の処理に相当する。
【００５４】
オペレーションＣＤにおいて基地局２ａ〜２ｃは、他の基地局２から受信したリソース情報が指定する無線リソースに対する干渉を低減するように、非CoMP移動局に関してスケジューリングする。オペレーションＣＤは、割当部２１の処理に相当する。その後、基地局２ａ〜２ｃは、次の実行契機が到来するまで待機または休止する。
【００５５】
＜２．３．効果＞
本実施例によれば、移動局３で測定した受信品質に基づいてCoMP移動局と非CoMP移動局とに移動局３を分類することができる。実際の電波は、基地局と移動局との相対位置関係以外の要因によっても大きく変動する。このため、受信品質に基づくことによってより適切な移動局をCoMP移動局として選択することが可能になる。
【００５６】
＜２．４．変形例＞
上述の実施例は、干渉低減による方式（Coordinated Scheduling）を利用するCoMPを行う例であるが、複数セルにおける同一データ送信による信号電力向上を図る方式（Joint Transmission）を利用するCoMPを行うように実施例を変形してもよい。上述の第１実施例及び後述の第３実施例〜第６実施例においても同様である。
【００５７】
この変形例では、基地局２はCoMP移動局へ送信されるデータを他の基地局２へ送信する。例えば、CoMP移動局へ送信されるデータは、リソース情報と共に他の基地局２へ送信される。他の基地局は、他のセルのCoMP移動局へ送信されるデータを、リソース情報で指定された無線リソースで送信する。
【００５８】
また、他の実施例では、基地局２と移動局３との間の距離に基づいてCoMP移動局と非CoMP移動局とに移動局３を分類してもよい。図１１及び図１２は、それぞれ基地局２及び移動局３の変形例の機能構成図である。図６及び図８に示す構成要素と同様の構成要素には図６及び８で使用した参照符号と同じ参照符号を付し同一の機能については説明を省略する。
【００５９】
基地局２は、移動局３から送信された移動局３の位置情報を受信する位置情報受信部１６を備える。位置情報受信部１６は、位置情報をスケジューラ１４に出力する。分類部２０は、位置情報が示す移動局３の位置と基地局２の既知の位置との間の距離に基づいて、位置情報を送信した移動局３をCoMP移動局と非CoMP移動局のいずれかに分類する。例えば、分類部２０は、例えば、基地局２との距離が判定閾値よりも長い移動局３をCoMP移動局に分類し、基地局２との距離が判定閾値以下の移動局３を非CoMP移動局に分類してよい。
【００６０】
移動局３は、位置測定部３５を備える。位置測定部３５は、GPS(Global Positioning System)や周辺の基地局装置からの受信電波を用いて位置を測定する既知の手法を用いて移動局３の位置を測定する。位置測定部３５は、移動局３の位置情報を生成して送信処理部３４へ出力する。送信処理部３４は、位置情報を符号化及び変調し、変調された信号のベースバンド信号を生成し、無線通信部３０を介して無線帯域の信号として送信する。
【００６１】
他の実施例では、基地局２から移動局３までの伝搬ロスに基づいてCoMP移動局と非CoMP移動局とに移動局３を分類してもよい。例えば、図６に示す構成の基地局２は、品質情報としてRSRPを受信する。分類部２０は、基地局２から送信されるリファレンス信号の既知の送信強度とRSRPが示す受信強度の差に応じて、基地局２から移動局３までの伝搬ロスを算出する。
【００６２】
分類部２０は、算出した伝搬ロスに基づいて、RSRPを送信した移動局３をCoMP移動局と非CoMP移動局のいずれかに分類する。例えば、分類部２０は、例えば、伝搬ロスが判定閾値よりも大きい移動局３をCoMP移動局に分類し、伝搬ロスが判定閾値以下の移動局３を非CoMP移動局に分類してよい。
【００６３】
＜３．第３実施例＞
CoMPを実施することにより他のセルからCoMP移動局への干渉が低減される、またはCoMP移動局における受信強度が増加するために、CoMP移動局における受信品質、特にSINRの向上が期待される。本実施例では、CoMPを実施した際のCoMP移動局の受信品質を予測し、予測された受信品質に基づいて、移動局３に割り当てる無線リソースのスケジューリングを行う。
【００６４】
図１３は、基地局２の第２例の機能構成図である。図６に示す構成要素と同様の構成要素には図６で使用した参照符号と同じ参照符号を付し同一の機能については説明を省略する。スケジューラ１４は、CoMPを実施した際のCoMP移動局の受信品質を予測する予測部２４を備える。
【００６５】
予測部２４は、例えば、CoMP移動局が接続するセルが属するクラスタと同じクラスタに属する他のセルからの干渉が無くなった場合におけるCoMP移動局での受信品質を、CoMPを実施した際の受信品質として予測する。例えば、予測部２４は、MeasurementReportから基地局２及び周辺セルからの受信強度を取得する。予測部２４は、CoMP移動局が接続するセルが属するクラスタと同じクラスタに属する他のセルからの受信強度がゼロになったと仮定し、残りの周辺セルの受信強度のみから干渉信号強度を推定する。予測部２４は、推定した干渉信号強度とCoMP移動局が接続するセルの信号強度に基づいて、CoMPを実施した際のCoMP移動局の受信品質を予測する。
【００６６】
割当部２１は、予測部２４による予測結果に基づいてCoMP移動局に関してスケジューリングする。受信品質に基づくスケジューリングの一例は、プロポーショナル・フェアネス・スケジューリングである。プロポーショナル・フェアネス・スケジューリングでは、受信品質の時間平均値に対する瞬間の受信品質の比がより大きな移動局を優先する。その他に割当部２１は、受信品質がより高い移動局を優先するスケジューリングや、受信品質がより低い移動局を優先するスケジューリングなどといった、様々な種類のスケジューリングを行ってもよい。
【００６７】
本実施例によれば、CoMPを伴うスケジューリング処理をセル毎に実施しても、CoMPの実施に伴い予期されるCoMP移動局の受信品質の向上を、スケジューリングに反映することができる。このため、より適切なスケジューリングが可能になる。
【００６８】
＜４．第４実施例＞
図９に示すオペレーションＢＢにおいて、同じクラスタに属する複数のセルにそれぞれに接続するCoMP移動局に同じ無線リソースを割り当てる可能性がある。この場合には、オペレーションＢＥのように他のセルで割り当てた無線リソースを避けることができないため、複数セルでCoMP移動局へ信号を送信する無線リソース同士が衝突する恐れがある。
【００６９】
そこで本実施例では、同じクラスタに属する複数のセルの間で、CoMP移動局に割当可能が無線リソースを割り振る。すなわち、基地局２と移動局３との通信に利用可能な無線リソースを重複しないように分割し、複数に分割された無線リソースの各々を、CoMP移動局に割当可能な無線リソースとして異なるセルに割り当てる。割当部２１は、あるセルに接続するCoMP移動局に割り当てる無線リソースを、CoMP移動局に割当可能な無線リソースとしてこのセルに対して割り振られた無線リソースの中から選ぶ。
【００７０】
例えば、基地局２と移動局３との通信に利用可能な周波数帯域が、帯域Ｆ１、Ｆ２及びＦ３の３つの帯域に分割されてもよい。帯域Ｆ１、Ｆ２及びＦ３は、それぞれセル４ａ、４ｂ及び４ｃに割り振られる。セル４ａ、４ｂ及び４ｃをそれぞれ形成する基地局２ａ、２ｂ及び２ｃは、それぞれ帯域Ｆ１、Ｆ２及びＦ３のみからCoMP移動局に割り当てる周波数リソースを選択することにより、CoMP移動局へ信号を送信する無線リソース同士の衝突が回避できる。
【００７１】
＜５．第５実施例＞
移動局３に対する干渉の程度はセル４と移動局３との位置関係に影響する。このため、例えば、セル４ａに接続する移動局３ｃに対するセル４ｂからの干渉が強く移動局３ｃをCoMP移動局に指定しても、セル４ｃからの干渉が弱い場合がある。このような場合に、セル４ｃに対して、移動局３ｃに割り当てた無線リソースの利用を制限する必要性は少ない。
【００７２】
そこで本実施例では、基地局２は、CoMP移動局に対する干渉がより大きなセルを形成する基地局２に対してより優先的にリソース情報を送信する。例えば、基地局２は、CoMP移動局に対する干渉が判定閾値より大きなセルを形成する基地局２のみにリソース情報を送信する。
【００７３】
例えば、図６及び図１３の構成の基地局２において、リソース情報送信部２２は、CoMP移動局から受信したMeasurementReportから、CoMP移動局が接続するセルが属するクラスタと同じクラスタに属する他のセルからの受信強度を取得する。リソース情報送信部２２は、判定閾値よりも大きな強度で受信される信号を送信するセルを形成する基地局２にのみリソース情報を送信する。
【００７４】
例えば、図１１の構成の基地局２において、リソース情報送信部２２は、CoMP移動局から受信した位置情報に基づき、CoMP移動局が接続するセルが属するクラスタと同じクラスタに属する他のセルの基地局とCoMP移動局との間の距離を算出する。リソース情報送信部２２は、CoMP移動局との間の距離が判定閾値より長い基地局２にのみリソース情報を送信する。
【００７５】
本実施例によれば、CoMP移動局に対する干渉の程度が弱いセルは、CoMP移動局に割り当てられた無線リソースの利用を制限される機会が低減する。このため無線リソースの利用効率が向上する。また、リソース情報が送信される宛先数が経ることにより有線接続５を伝送するリソース情報の伝送量が低減する。このため有線接続５により形成される基地局間ネットワークの負荷が軽減される。
【００７６】
＜６．第６実施例＞
上述の通り、CoMP移動局に割り当てた無線リソースを指定するリソース情報は、基地局間の有線接続５を経由して伝送される。このため、基地局２の間のリソース情報の伝送には、伝送遅延が発生することがある。
【００７７】
図１４は、伝送遅延が小さい場合の通信システム１の処理シーケンスの一例を示す図である。スケジューラ１４による無線リソースのスケジューリング周期が１ｍｓである場合を想定する。参照符号ＣＡ（０）、ＣＡ（１）及びＣＡ（２）は、図１０の処理シーケンスのオペレーションＣＡと同様の動作を示す。参照符号ＣＢ（０）、ＣＢ（１）及びＣＢ（２）は、図１０の処理シーケンスのオペレーションＣＢと同様の動作を示す。参照符号ＣＣ（０）、ＣＣ（１）及びＣＣ（２）は、図１０の処理シーケンスのオペレーションＣＣと同様の動作を示す。参照符号ＣＤ（０）、ＣＤ（１）及びＣＤ（２）は、図１０の処理シーケンスのオペレーションＣＤと同様の動作を示す。参照符号の括弧で囲まれた数字「０」、「１」及び「２」は、それぞれ第ｉ回目、第（ｉ＋１）回目及び第（ｉ＋２）回目のスケジューリングサイクルでの動作であることを示す。図１５及び図１６においても同様である。
【００７８】
なお、以下の説明においてＣＡ（０）、ＣＡ（１）及びＣＡ（２）を総称して「ＣＡ」と表記することがある。ＣＢ（０）、ＣＢ（１）及びＣＢ（２）を総称して「ＣＢ」と表記することがある。ＣＣ（０）、ＣＣ（１）及びＣＣ（２）を総称して「ＣＣ」と表記することがある。ＣＤ（０）、ＣＤ（１）及びＣＤ（２）を総称して「ＣＤ」と表記することがある。
【００７９】
図１４に示すように、オペレーションＣＣで発生する有線接続５でのリソース情報の伝搬遅延が比較的小さければ、オペレーションＣＡ、ＣＢ、ＣＣ及びＣＤを１回のスケジューリング周期中に完了できる。
【００８０】
図１５は、伝送遅延が大きい場合の通信システム１の処理シーケンスの一例を示す図である。オペレーションＣＣで発生する伝送遅延が比較的大きい場合には、オペレーションＣＡ、ＣＢ、ＣＣ及びＣＤを１つのスケジューリングサイクル中に完了することができない。例えば、3GPPで定められるLTE(Long Term Evolution)において基地局間を接続するX2インタフェースの伝送遅延は数十msになることがあり、１msオーダであるスケジューリング周期よりも長い。この結果、オペレーションＣＣでのCoMP移動局のリソース情報の伝送は、オペレーションＣＤでの非CoMP移動局のスケジューリングに間に合わない。
【００８１】
そこで本実施例は、非CoMP移動局のスケジューリングを行うスケジューリングサイクルよりも前のサイクルでスケジューリングされたCoMP移動局のリソース情報を用いて、非CoMP移動局のスケジューリングを行う。
【００８２】
例えば図１６に示すように、スケジューラ１４は、オペレーションＣＡ〜ＣＣの実行周期が、オペレーションＣＤの実行周期より長くなるように動作する。なお、オペレーションＣＤの実行周期は、スケジューラ１４による無線リソースのスケジューリング周期と同じ長さであってよい。図１６の例では、オペレーションＣＡ〜ＣＣの実行周期は2msであり、オペレーションＣＤの実行周期は1msである。
【００８３】
例えば、オペレーションＣＡ〜ＣＣの実行周期は、オペレーションＣＡ〜ＣＣの開始から完了までの経過期間よりも長い期間に定めてよい。このような期間に定めることにより、オペレーションＣＡ〜ＣＣの並列処理を行えるようにスケジューラ１４を構成せずにすむ。
【００８４】
図１６の例では、第ｉサイクル〜第（ｉ＋２）サイクルの周期はオペレーションＣＤの実行周期であり、第ｉサイクル〜第（ｉ＋２）サイクルのそれぞれでオペレーションＣＤが行われる。また、オペレーションＣＡ及びＣＢは、第ｉサイクルと第（ｉ＋２）で行われる。第ｉサイクルに開始したオペレーションＣＣは第（ｉ＋１）サイクルで終了し、第（ｉ＋２）サイクルに開始したオペレーションＣＣは第（ｉ＋３）サイクルで終了する。したがって、リソース情報は第（ｉ＋１）及び第（ｉ＋３）サイクルで受信され、第（ｉ＋２）サイクルでは受信されない。
【００８５】
ある実施例のスケジューラ１４の割当部２１は、オペレーションＣＤの実行サイクルでリソース情報を受信しなかった場合には、以前に受信したリソース情報を使用して、非CoMP移動局のスケジューリングを行う。
【００８６】
他の実施例の割当部２１は、オペレーションＣＤの実行サイクルでリソース情報を受信しなかった場合には、実行サイクル毎に予め定められた以前の実行サイクルで受信したリソース情報を使用して、非CoMP移動局のスケジューリングを行う。図１６の例では、第（ｉ＋２）サイクルでは、第（ｉ＋２）サイクルより１つ前の第（ｉ＋１）サイクルが、リソース情報を受信する実行サイクルとして指定される。
【００８７】
なお、上述の第１実施例〜第５実施例に本第６実施例を組み合わせてもよい。また、本第６実施例の基地局は、図６、図７、図１１及び図１３に示すいずれの構成を備えていてもよい。
【００８８】
図１７は、基地局装置の動作の第２例の説明図である。図１７の動作は、例えば、基地局２によるスケジューリング周期のような所定の実行間隔で周期的に実行される。例えば、図１７の動作は、非CoMP移動局の無線リソースを定めるスケジューリング周期で実行されてよい。
【００８９】
オペレーションＤＡにおいてスケジューラ１４は、CoMP移動局のスケジューリング時期であるか否かを判断する。CoMP移動局のスケジューリング時期である場合（オペレーションＤＡ：Ｙ）に動作はオペレーションＤＢへ進む。CoMP移動局のスケジューリング時期でない場合（オペレーションＤＡ：Ｙ）に動作はオペレーションＤＥへ進む。
【００９０】
オペレーションＤＢ〜ＤＤの動作は、図９のオペレーションＢＡ〜ＢＣの動作と同様である。オペレーションＤＥにおいて割当部２１は、現在実行中の実行サイクル又は現在実行中の実行サイクルについて予め定められた以前の実行サイクルでリソース情報が受信されたか否かを判断する。リソース情報が受信された場合（オペレーションＤＥ：Ｙ）に動作はオペレーションＤＦへ進む。リソース情報が受信されない場合（オペレーションＤＥ：Ｙ）に動作はオペレーションＤＧへ進む。
【００９１】
オペレーションＤＦ及びＤＧの動作は、図９のオペレーションＢＥ及びＢＦと同様である。オペレーションＤＦ及びＤＧの後、基地局２は、次の実行契機が到来するまで待機または休止する。
【００９２】
本実施例によれば、リソース情報を伝送する基地局間回線に伝送遅延があっても、他の基地局２で割り当てたCoMP移動局のリソース情報を用いて非CoMP移動局のスケジューリングを行うことができる。
【００９３】
＜８．ハードウエア構成＞
最後に、上記の基地局２及び移動局３を実現するハードウエア構成の一例について説明する。図１８の（Ａ）は、基地局３のハードウエア構成の一例の説明図である。基地局２は、ＣＰＵ（Central Processing Unit）等であるプロセッサ４０と、記憶装置４１と、ＬＳＩ（Large Scale Integration）４２と、無線処理回路４３を備える。記憶装置４１は、コンピュータプログラムやデータを記憶するための、不揮発性メモリや、読み出し専用メモリ（ROM: Read Only Memory）やランダムアクセスメモリ（RAM: Random Access Memory）、ハードディスクドライブ装置等を含んでいてよい。ＬＳＩ４２は、FPGA（Field-Programming Gate Array）、ASIC（Application Specific Integrated Circuit）やDSP(Digital Signal Processing)等を含んでいてよい。無線処理回路４３は、デジタル・アナログ変換回路や、アナログ・デジタル変換回路や、周波数変換回路などを含んでいてよい。
【００９４】
図６、図１１及び図１３に示す基地局２の無線通信部１０の上記動作は、無線処理回路４３によって実行される。受信処理部１１及び送信処理部１３の上記動作は、ＬＳＩ４２によって実行される。データ処理部１２及びスケジューラ１４の上記動作、図６及び図１３の品質情報受信部１５の上記動作、図１１の位置情報受信部１６の上記動作は、プロセッサ４０によって実行される。
【００９５】
図１８の（Ｂ）は、図３の構成における集中型基地局７とRRH８ａ〜８ｇのハードウエア構成の一例の説明図である。上述のプロセッサ４０と、記憶装置４１と、ＬＳＩ４２は集中型基地局７に設けられる。上述の無線処理回路４３は、RRH８ａ〜８ｇの各々に設けられる。集中型基地局７及びRRH８ａ〜８ｇは、集中型基地局７とRRH８ａ〜８ｇとを接続するためのインタフェース回路４４を備える。添付図面においてインタフェースを「Ｉ／Ｆ」と表記する。
【００９６】
図７に示すRRH８ａ〜８ｇの無線通信部１０の上記動作は、無線処理回路４３によって実行される。集中型基地局７の受信処理部１１及び送信処理部１３の上記動作は、ＬＳＩ４２によって実行される。データ処理部１２、スケジューラ１４及び品質情報受信部１５の上記動作は、プロセッサ４０によって実行される。
【００９７】
図１９は移動局３のハードウエア構成の一例の説明図である。移動局３は、プロセッサ５０と、記憶装置５１と、ＬＳＩ５２と、無線処理回路５３と、測位装置５４を備える。記憶装置５１は、コンピュータプログラムやデータを記憶するための、不揮発性メモリや、読み出し専用メモリやランダムアクセスメモリ等を含んでいてよい。ＬＳＩ５２は、FPGA、ASICやDSP等を含んでいてよい。無線処理回路５３は、デジタル・アナログ変換回路や、アナログ・デジタル変換回路や、周波数変換回路などを含んでいてよい。測位装置５４の一例は、移動局３の位置を測定するためのＧＰＳ(Global Positioning System)測位装置や慣性航法装置であってよい。
【００９８】
図８及び図１２に示す移動局３の無線通信部３０の上記動作は、無線処理回路５３によって実行される。受信処理部３１及び送信処理部３４の上記動作は、ＬＳＩ５２によって実行される。データ処理部３２の上記動作はプロセッサ５０によって実行される。図８に示す受信品質測定部３３の上記動作は、プロセッサ５０とＬＳＩ５２の協働により実行される。図１２に示す位置測定部３５の上記動作は測位装置５４によって実行される。
【００９９】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【０１００】
１    通信システム
２、２ａ〜２ｃ    基地局
３、３ａ〜３ｄ    移動局
４、４ａ〜４ｃ    セル
１４    スケジューラ
１５    品質情報受信部
２０    分類部
２１    割当部
２２    リソース情報送信部
２３    リソース情報受信部
【図１】
2014049727.tif 000003
【図２】
2014049727.tif 000004
【図３】
2014049727.tif 000005
【図４】
2014049727.tif 000006
【図５】
2014049727.tif 000007
【図６】
2014049727.tif 000008
【図７】
2014049727.tif 000009
【図８】
2014049727.tif 000010
【図９】
2014049727.tif 000011
【図１０】
2014049727.tif 000012
【図１１】
2014049727.tif 000013
【図１２】
2014049727.tif 000014
【図１３】
2014049727.tif 000015
【図１４】
2014049727.tif 000016
【図１５】
2014049727.tif 000017
【図１６】
2014049727.tif 000018
【図１７】
2014049727.tif 000019
【図１８】
2014049727.tif 000020
【図１９】
2014049727.tif 000021
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
第１セルに接続する移動局装置を、多点協調送信の対象の移動局装置と多点協調送信の対象でない移動局装置とに分類する分類部と、
第１セルに接続する多点協調送信の対象の移動局装置に無線リソースを割り当てる第１割当部と、
第１セルと異なる第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部と、
を備えることを特徴とする基地局装置。
【請求項２】
第１セルに接続する多点協調送信の対象の移動局装置が多点協調送信時に被る干渉を予測する予測部を備え、
前記第１割当部は、前記予測部による予測結果に応じて、第１セルに接続する多点協調送信の対象の移動局装置の無線リソースの割り当てを実施することを特徴とする基地局装置。
【請求項３】
第１セルと第２セルとにそれぞれ異なる周波数リソースが割り当てられ、
前記第１割当部は、第１セルに割り当てられた周波数リソースの中から第１セルに接続する多点協調送信の対象の移動局装置に割り当てる周波数リソースを選択し、第２セルに割り当てられた周波数リソースの中から第１セルに接続する多点協調送信の対象の移動局装置に割り当てる周波数リソースを選択しないことを特徴とする請求項１又は２に記載の基地局装置。
【請求項４】
前記第２割当部は、所定周期で繰り返されるサイクルのうちの第１サイクルにおいて第２セルに接続する多点協調送信の対象の移動局装置に割り当てられた無線リソースに基づいて、第１サイクルの後の第２サイクルにおいて第１セルに接続する多点協調送信の対象でない移動局装置に割り当てる無線リソースを決定することを特徴とする請求項１〜３のいずれか一項に記載の基地局装置。
【請求項５】
多点協調送信の対象の移動局装置に無線リソースを割り当てる第２サイクルが、前記第２割当部が無線リソースを決定する前記サイクルと異なることを特徴とする請求項４に記載の基地局装置。
【請求項６】
前記第２割当部は、１つの第２サイクルで割り当てられた無線リソースに基づいて、異なる複数のサイクルにおいて無線リソースを決定することを特徴とする請求項５に記載の基地局装置。
【請求項７】
第２セルに接続する多点協調送信の対象の移動局装置へ送信されるデータを受信し、
第２セルに接続する多点協調送信の対象の移動局装置に割り当てられた無線リソースで前記データを送信することを特徴とする請求項１〜６のいずれか一項に記載の基地局装置。
【請求項８】
第１セルに接続する多点協調送信の対象の移動局装置に割り当てた無線リソースを指定するリソース情報を、前記第２セルを形成する他の基地局装置に送信するリソース情報送信部と、
第２セルに接続する多点協調送信の対象の移動局装置に割り当てた無線リソースを指定するリソース情報を、前記他の基地局装置から受信するリソース情報受信部と、
を備えることを特徴とする請求項１〜７のいずれか一項に記載の基地局装置。
【請求項９】
前記リソース情報送信部は、第１セルに隣接するセルを形成する複数の基地局装置のうち、第１セルに接続する多点協調送信の対象の移動局装置に与える干渉の程度に応じて、第１セルに接続する多点協調送信の対象の移動局装置に割り当てられた無線リソースのリソース情報を送信する基地局装置を選択することを特徴とする請求項８に記載の基地局装置。
【請求項１０】
第１セルを形成する無線信号を送信する第１の張り出し無線装置と、第２セルを形成する無線信号を送信する第２の張り出し無線装置とを備えることを特徴とする請求項１〜７のいずれか一項に記載の基地局装置。
【請求項１１】
基地局装置と移動局装置とを備える通信システムであって、
前記基地局装置は、
第１セルに接続する移動局装置を、多点協調送信の対象の移動局装置と多点協調送信の対象でない移動局装置とに分類する分類部と、
第１セルに接続する多点協調送信の対象の移動局装置に無線リソースを割り当てる第１割当部と、
第１セルと異なる第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部と、
を備えることを特徴とする通信システム。
【請求項１２】
第１セルに接続する移動局装置と第２セルに接続する移動局装置とを、多点協調送信の対象の移動局装置と多点協調送信の対象でない移動局装置とに分類し、
第１セルに接続する多点協調送信の対象の移動局装置と第２セルに接続する多点協調送信の対象の移動局装置とに各々無線リソースを割り当て、
第２セルに接続する多点協調送信の対象の移動局装置に割り当てられた無線リソースとの干渉を低減するように、第１セルに接続する多点協調送信の対象でない移動局装置に割り当てる無線リソースを決定する、ことを特徴とする通信方法。
【手続補正書】
【提出日】平成28年4月13日(2016.4.13)
【手続補正１】
【補正対象書類名】明細書
【補正対象項目名】０００８
【補正方法】変更
【補正の内容】
【０００８】
装置の一観点によれば、基地局装置が与えられる。基地局装置は、第１セルに接続する移動局装置を、多点協調送信の対象の移動局装置と多点協調送信の対象でない移動局装置とに分類する分類部と、第１セルに接続する多点協調送信の対象の移動局装置に無線リソースを割り当てる第１割当部と、第１セルと異なる第２セルに接続する多点協調送信の対象の移動局装置に割り当てられた無線リソースを指定するリソース情報を取得して、第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部を備える。
【手続補正２】
【補正対象書類名】特許請求の範囲
【補正対象項目名】全文
【補正方法】変更
【補正の内容】
【特許請求の範囲】
【請求項１】
第１セルに接続する移動局装置を、多点協調送信の対象の移動局装置と多点協調送信の対象でない移動局装置とに分類する分類部と、
第１セルに接続する多点協調送信の対象の移動局装置に無線リソースを割り当てる第１割当部と、
第１セルと異なる第２セルに接続する多点協調送信の対象の移動局装置に割り当てられた無線リソースを指定するリソース情報を取得して、第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部と、
を備えることを特徴とする基地局装置。
【請求項２】
第１セルに接続する多点協調送信の対象の移動局装置が多点協調送信時に被る干渉を予測する予測部を備え、
前記第１割当部は、前記予測部による予測結果に応じて、第１セルに接続する多点協調送信の対象の移動局装置の無線リソースの割り当てを実施することを特徴とする請求項１に記載の基地局装置。
【請求項３】
第１セルと第２セルとにそれぞれ異なる周波数リソースが割り当てられ、
前記第１割当部は、第１セルに割り当てられた周波数リソースの中から第１セルに接続する多点協調送信の対象の移動局装置に割り当てる周波数リソースを選択し、第２セルに割り当てられた周波数リソースの中から第１セルに接続する多点協調送信の対象の移動局装置に割り当てる周波数リソースを選択しないことを特徴とする請求項１又は２に記載の基地局装置。
【請求項４】
前記第２割当部は、所定周期で繰り返されるサイクルのうちの第１サイクルにおいて第２セルに接続する多点協調送信の対象の移動局装置に割り当てられた無線リソースに基づいて、第１サイクルの後の第２サイクルにおいて第１セルに接続する多点協調送信の対象でない移動局装置に割り当てる無線リソースを決定することを特徴とする請求項１〜３のいずれか一項に記載の基地局装置。
【請求項５】
多点協調送信の対象の移動局装置に無線リソースを割り当てる第２サイクルが、前記第２割当部が無線リソースを決定する前記サイクルと異なることを特徴とする請求項４に記載の基地局装置。
【請求項６】
前記第２割当部は、１つの第２サイクルで割り当てられた無線リソースに基づいて、異なる複数のサイクルにおいて無線リソースを決定することを特徴とする請求項５に記載の基地局装置。
【請求項７】
第２セルに接続する多点協調送信の対象の移動局装置へ送信されるデータを受信し、
第２セルに接続する多点協調送信の対象の移動局装置に割り当てられた無線リソースで前記データを送信することを特徴とする請求項１〜６のいずれか一項に記載の基地局装置。
【請求項８】
第１セルに接続する多点協調送信の対象の移動局装置に割り当てた無線リソースを指定するリソース情報を、前記第２セルを形成する他の基地局装置に送信するリソース情報送信部と、
第２セルに接続する多点協調送信の対象の移動局装置に割り当てた無線リソースを指定するリソース情報を、前記他の基地局装置から受信するリソース情報受信部と、
を備えることを特徴とする請求項１〜７のいずれか一項に記載の基地局装置。
【請求項９】
前記リソース情報送信部は、第１セルに隣接するセルを形成する複数の基地局装置のうち、第１セルに接続する多点協調送信の対象の移動局装置に与える干渉の程度に応じて、第１セルに接続する多点協調送信の対象の移動局装置に割り当てられた無線リソースのリソース情報を送信する基地局装置を選択することを特徴とする請求項８に記載の基地局装置。
【請求項１０】
第１セルを形成する無線信号を送信する第１の張り出し無線装置と、第２セルを形成する無線信号を送信する第２の張り出し無線装置とを備えることを特徴とする請求項１〜７のいずれか一項に記載の基地局装置。
【請求項１１】
基地局装置と移動局装置とを備える通信システムであって、
前記基地局装置は、
第１セルに接続する移動局装置を、多点協調送信の対象の移動局装置と多点協調送信の対象でない移動局装置とに分類する分類部と、
第１セルに接続する多点協調送信の対象の移動局装置に無線リソースを割り当てる第１割当部と、
第１セルと異なる第２セルに接続する多点協調送信の対象の移動局装置に割り当てられた無線リソースを指定するリソース情報を取得して、第２セルに接続する多点協調送信の対象の移動局装置に割り当てられた無線リソースとの干渉を低減するように、第１セルに接続する多点協調送信の対象でない移動局装置に割り当てる無線リソースを決定する第２割当部と、
を備えることを特徴とする通信システム。
【請求項１２】
第１セルに接続する移動局装置と第２セルに接続する移動局装置とを、多点協調送信の対象の移動局装置と多点協調送信の対象でない移動局装置とに分類し、
第１セルに接続する多点協調送信の対象の移動局装置と第２セルに接続する多点協調送信の対象の移動局装置とに各々無線リソースを割り当て、
第２セルに接続する多点協調送信の対象の移動局装置に割り当てられた無線リソースを指定するリソース情報を取得して、第２セルに接続する多点協調送信の対象の移動局装置に割り当てられた無線リソースとの干渉を低減するように、第１セルに接続する多点協調送信の対象でない移動局装置に割り当てる無線リソースを決定する、ことを特徴とする通信方法。
【国際調査報告】
2014049727.tif 000022
2014049727.tif 000023